(57)【要約】【課題】空気排出口から排出される空気が弱い風力でしか排出されないので、室内において空気の対流が殆ど発生せず、結局、空気清浄機の近傍の空気しか清浄化されない。従来の空気清浄機は、空気が排出される際の風力が弱いので、サーキュレーターとしての機能を求めることは全くできない。【解決手段】上側水平空間４ｃへ流入した空気は送風装置２１によって空気排出口７から吸引した空気と共に、空気排出口７から放出される。即ち、送風装置２１は、矢印で示すように空気排出口７から空気を吸引し、この空気はカバー２７の開口２８から取り込まれて、垂直空間４ｂを通り、上側水平空間４ｃへ流入した空気と共に空気排出口７から放出される。従って、空気排出口７から大容量の空気がかなり大きな風力をもって送出されることになる。【選択図】      図３
2004257664.tif 000002
【特許請求の範囲】
【請求項１】
筐体と、前記筐体の下部に設けられた空気取り込み口と、前記筐体上部に設けられ前記空気取り込み口から取り込まれた空気を排出する空気排出口と、前記空気取り込み口から空気を取り込む空気取り込み手段と、前記空気取り込み口と前記空気排出口との間に備えられた空気浄化手段と、空気排出口から空気を吸引して、この吸引した空気を空気取り込み口から取り込んだ空気と共に前記空気排出口から送出する空気送出手段を備えたことを特徴とする空気清浄機。
【請求項２】
請求項１に記載した空気清浄機において、空気取り込み口が筐体の下部に設けられていることを特徴とする空気清浄機。
【請求項３】
請求項１または２に記載した空気清浄機において、空気取り込み口が筐体の中間部に設けられていることを特徴とする空気清浄機。
【請求項４】
請求項１から３のいずれかに記載した空気清浄機において、前記空気取り込み口と前記空気排出口とに連通し、前記空気取り込み口から取り込まれた空気の一部が通過するダクトを備えたことを特徴とする空気清浄機。
【請求項５】
請求項１から４のいずれかに記載した空気清浄機において、筐体には物品を収納する収納部が設けられていることを特徴とする空気清浄機。
【請求項６】
請求項１から５のいずれかに記載した空気清浄機において、筐体の高さ寸法は１５０ｃｍ〜２５０ｃｍであることを特徴とする空気清浄機。
【発明の詳細な説明】
【０００１】
【発明の属する技術分野】
本発明は室内に設置して使用する空気清浄機に関するものである。
【０００２】
【従来の技術】
空気清浄機は室内に設置し、空気取り込み口から空気を取り入れて、この空気をフィルターに通して浄化した後、空気排出口より排出させる。この空気の取り入れ及び排出には、電動モーターによって駆動する吸引ファンを使用するものが殆どである。そして、この吸引ファンによって筐体内へ取り込まれた空気の量と、ほぼ同量の空気が排出されるようになっている。従って、排出される空気の量は少量であり、しかも弱い風力によって室内に排出されることになる。これは、空気吸引用ファンの能力を高くすると、空気がフィルターを通過する際の音が大きくなり、騒音を発生してしまうからである。
【０００３】
【発明が解決しようとする課題】
しかしながら、従来の空気清浄機では、空気排出口から排出される空気が弱い風力でしか排出されないので、室内において空気の対流が殆ど発生せず、結局、空気清浄機の近傍の空気しか清浄化されないという問題がある。
また、エアコンディショナーを使用する場合において、冷暖房する空間が偏ってしまうという問題があるが、従来の空気清浄機は上記したように、空気が排出される際の風力が弱いので、サーキュレーターとしての機能を求めることは全くできない。
【０００４】
本発明は上記した問題点に鑑みて為されたものであり、室内の空気を満遍なく浄化でき、しかもサーキュレーターとしての機能をもつ空気清浄機を目的とする。
【０００５】
【課題を解決するための手段】
この目的を達成するために、請求項１の発明は、筐体と、前記筐体の下部に設けられた空気取り込み口と、前記筐体上部に設けられ前記空気取り込み口から取り込まれた空気を排出する空気排出口と、前記空気取り込み口から空気を取り込む空気取り込み手段と、前記空気取り込み口と前記空気排出口との間に備えられた空気浄化手段と、空気排出口から空気を吸引して、この吸引した空気を空気取り込み口から取り込んだ空気と共に前記空気排出口から送出する空気送出手段を備えたことを特徴とする空気清浄機である。
【０００６】
請求項２の発明は、請求項１に記載した空気清浄機において、空気取り込み口が筐体の下部に設けられていることを特徴とする空気清浄機である。
【０００７】
請求項３の発明は、請求項１または２に記載した空気清浄機において、空気取り込み口が筐体の中間部に設けられていることを特徴とする空気清浄機である。
【０００８】
請求項４の発明は、請求項１から３のいずれかに記載した空気清浄機において、前記空気取り込み口と前記空気排出口とに連通し、前記空気取り込み口から取り込まれた空気の一部が通過するダクトを備えたことを特徴とする空気清浄機である。
【０００９】
請求項５の発明は、請求項１から４のいずれかに記載した空気清浄機において、筐体には物品を収納する収納部が設けられていることを特徴とする空気清浄機である。
【００１０】
請求項６の発明は、請求項１から５のいずれかに記載した空気清浄機において、筐体の高さ寸法は１５０ｃｍ〜２５０ｃｍであることを特徴とする空気清浄機である。
【００１１】
【発明の実施の形態】
以下に、図１から図４によって本発明の第１実施の形態に係る空気清浄機１を説明する。
符号３は筐体を示し、この筐体３の高さ寸法は２２０ｃｍで、幅寸法は１００ｃｍである。筐体３の下部には空気取り込み口５が設けられ、上部には空気排出口７が設けられている。空気取り込み口５、空気排出口７の高さ寸法は２０ｃｍである。筐体３の高さ寸法は１５０ｃｍ〜２５０ｃｍの範囲で、また幅寸法は５０ｃｍ〜１２０ｃｍの範囲で適宜変更できる。特に筐体３の高さ寸法は空気排出口７の位置が空気清浄機１を設置する部屋の天井近くに位置するように適宜変更する。空気取り込み口５が空気清浄機１を設置する部屋の床近くに位置し、しかも空気排出口７の位置が空気清浄機１を設置する部屋の天井近くに位置すれば、後述するように部屋内の空気に対流を発生させることができる。
【００１２】
また、空気取り込み口５と空気排出口７との間には物品を収納できる収納部９、１０が設けられている。筐体３の内側面と収容部９、１０の外側面とによって画される空間４を後述するように空気が通過する。この空間４は、空気取り込み口５に対向する下側水平空間４ａ、この下側水平空間４ａから垂直方向へ延びる垂直空間４ｂ、さらに垂直空間４ｂから空気排出口７へ水平に延びる上側水平空間４ｃとから構成されている。
【００１３】
筐体３の空気取り込み口５には横格子を有する枠体１１が嵌められている。この枠体１１の後方には除塵フィルター１３が備えられ、さらにこの除塵フィルター１３の後方には脱臭フィルター１５が備えられている。この脱臭フィルター１５は通気性のある円筒状容器に活性炭を充填して成り、上下方向に互いに僅かな隙間を空けて３本配置されている。除塵フィルター１３と脱臭フィルター１５とによって空気清浄化手段が構成されている。
また、筐体３には、空気取り込み手段としての吸引ファン１７が備えられ、この吸引ファン１７は空気取り込み口５に対向している。
【００１４】
筐体３の空気排出口７には縦格子を有する枠体１９が嵌められており、この枠体１９の後方には空気送出手段として送風装置２１が備えられている。この送風装置２１はファン２３、このファン２３を駆動するモーター２５、ファン２３の周方向を覆うカバー２７とによって構成されている。カバー２７には細長い長方形の開口２８が多数形成されている。
送風装置２１の両脇にはマイナスイオン発生器２６が備えられている。
収納部９、１０には棚板２９が備えられ、また収納部９、１０の前面開口を覆うように開閉扉３１が取り付けられている。開閉扉３１は開閉自在であり、また取っ手３３が取り付けられている。
【００１５】
次に、この空気清浄機１の動作について説明する。
空気清浄機１を床に設置して部屋内に備え付ける。筐体３は前記した高さ寸法を有し、また空気取り込み口５、空気排出口７も前記した高さ寸法を有しているので、空気取り込み口５は床から５ｃｍ程度から２５ｃｍ程度の範囲に位置し、空気排出口７は床から２００ｃｍから２２０ｃｍ程度の範囲に位置することになる。
図示しないスイッチを入れ、吸引ファン１７及び送風装置２１のファン２３を作動させる。
吸引ファン１７によって室内の空気が矢印で示すように吸引され、空気取り込み口５から下側水平空間４ａへ導入される。空気取り込み口５から導入された空気は除塵フィルター１３を通過し、この除塵フィルター１３によって空気中の埃等が捕捉される。さらに空気は脱臭フィルター１５を通過して脱臭される。次いで、空気は垂直空間４ｂを通り、上側水平空間４ｃへ流入する。
【００１６】
図４に示すように、上側水平空間４ｃへ流入した空気は送風装置２１によって空気排出口７から吸引した空気と共に、空気排出口７から放出される。即ち、送風装置２１は、図４において矢印で示すように、空気排出口７から空気を吸引し、この空気はカバー２７の開口２８から取り込まれる。そして、この空気排出口７から吸引された空気は、垂直空間４ｂを通って上側水平空間４ｃへ流入した空気と共に空気排出口７から放出される。この際、マイナスイオン発生器２６によって発生させられたマイナスイオンも空気排出口７から放出される。
【００１７】
このように空気清浄機１では、空気取り込み口５から取り込んだ空気だけでなく、空気排出口７から吸引した空気も、送風装置２１によって空気排出口７から送出する。従って、空気排出口７から大容量の空気がかなり大きな風力をもって送出されることになる。しかも、空気取り込み口５は床から５ｃｍ程度から２５ｃｍ程度の範囲に位置し、空気排出口７は床から２００ｃｍから２２０ｃｍ程度の範囲に位置しているので、床近くの空気が吸引されて天井近くの高位置に排出されることになる。従って、室内に空気の対流が発生することになる。よって、サーキュレーターとしての機能も十分に発揮することになり、また空気排出口７から送出される空気が部屋全体に行き渡ることにより、遠方まで到達することになるので、室内の空気を満遍なく浄化できる。
【００１８】
図５から図７によって本発明の第２実施の形態に係る空気清浄機４１を説明する。
この空気清浄機４１は第１の実施の形態に係る空気清浄機１と同様の構成部分を有するので、同様の構成部分については第１の実施の形態で用いた符号と同じ符号を付して説明を省略し、空気清浄機４１については空気清浄機１と異なる部分についてのみ説明する。
符号４３はダクトを示し、このダクト４３は筐体３に備えられている。ダクト４３は上下の端部が同方向へ水平に曲げられた形状であり、下側水平部４３ａ、垂直部４３ｂ及び上側水平部４３ｃとから構成されている。下側水平部４３ａには下側開口４５が設けられ、上側水平部４３ｃには上側開口４７が設けられている。下側開口４５は下側水平空間４ａに連通し、上側開口４７は上側水平空間４ｃに連通している。
【００１９】
ダクト４３の下側水平部４３ｃの両脇には吸引ファン４９、５０が配置されている。また、ダクト４３ｃの下側開口４５にはマイナス電極５１が備えられており、このマイナス電極５１は図示しない部材によって支持されている。下側水平部４３ｃには除塵フィルター５３、５５が配置され、この除塵フィルター５５の後方には吸引ファン５７が備えられている。吸引ファン４９、５０、５７によって空気取り込み手段が構成されている。
ダクト４３の上側水平部４３ｃには送出ファン６３が備えられ、この送風ファン６３の前方には電子フィルター６５が備えられている。電子フィルター６５は高圧電線６５ａとメッシュフィルター６５ｂとを組み合わせたものである。除塵フィルター１３、脱臭フィルター１５、除塵フィルター５３、５５及び電子フィルター６５によって空気清浄化手段が構成されている。
【００２０】
次に、この空気清浄機４１の動作について説明する。
図示しないスイッチを入れ、吸引ファン４９、５０、５７、送出ファン６３及び空気送出手段としての送風装置２１のファン２３を作動させる。
吸引ファン４９、５０、５７によって室内の空気が矢印で示すように吸引され、空気取り込み口５から下側水平空間４ａへ導入される。空気取り込み口５から導入された空気は除塵フィルター１３を通過し、この除塵フィルター１３によって空気中の埃等が捕捉される。さらに空気は脱臭フィルター１５を通過して脱臭される。次いで、空気の一部は垂直空間４ｂを通り、上側水平空間４ｃへ流入する。
【００２１】
また、一部の空気はダクト４３の下側開口４５から下側水平部４３ａに流入し、この際、空気中の塵等がマイナス電極５１によってマイナス極性に帯電させられる。そして、マイナス極性に帯電させられた塵等は除塵フィルター５３、５５によって捕捉される。上記のように塵等はマイナス極性に帯電させられているので、除塵フィルター５３、５５によって電気的吸着される。
さらに、空気がダクト４３の垂直部４３ｂを通り、上側水平部４３ｃに到達する。上側水平部４３ｃに到達した空気は電子フィルター６５によって除塵されて、上側水平空間４ｃへ出る。そして、前記したダクト４３を通らずに垂直空間４ｂを通り、上側水平空間４ｃへ流入した空気と合流する。この合流した空気は、送風装置２１によって空気排出口７から吸引した空気と共に、空気排出口７から放出される。この送風装置２１により空気を送出する際の作用は、第１の実施の形態において説明した作用と同様である。
【００２２】
この空気清浄機４１によれば、ダクト４３が設けられ、さらにこのダクト４３に吸引ファン５７と送出ファン６３が備えられているので、より強力に室内の空気を取り込むことができる。
また、ダクト４３を設けることで、除塵フィルター５３、５５、電子フィルター６５によって除塵される空気量を絞り込み、吸引ファンの能力を極端に大きくすることなく、空気の清浄化を可能としている。従って、空気が除塵フィルター５３、５５、電子フィルター６５を通過する際に発生する音は僅かであり、騒音が生じることはない。
しかも、マイナス電極５１、除塵フィルター５３、５５及び電子フィルター６５が備えられているので、空気取り込み口５から取り込んだ空気をより清浄なものとして空気排出口７から排出する。
【００２３】
図８から図１０によって本発明の第３実施の形態に係る空気清浄機７１を説明する。
この空気清浄機７１は第１の実施の形態に係る空気清浄機１及び第２の実施の形態に係る空気清浄機４１と同様の構成部分を有するので、同様の構成部分については第１及び第２の実施形態で用いた符号と同じ符号を付して説明を省略し、空気清浄機７１については空気清浄機１及び空気清浄機４１と異なる部分についてのみ説明する。
【００２４】
筐体３には２つの独立した収納部７３、７５が上下に配置されており、収納部７３と収納部７５とによって挟まれた空間に中間水平空間７７が形成されている。中間水平空間７７には空気取り込み口７８が連通しており、この空気取り込み口７８は筐体３前面の開口し、筐体３の高さ方向の中間部に位置している。空気取り込み口７８には横格子を有する枠体１１が嵌められている。
【００２５】
筐体３にはダクト８３、８５が備えられており、ダクト８３は上下の端部が同方向へ水平に曲げられた形状であり、下側水平部８３ａ、垂直部８３ｂ及び上側水平部８３ｃによって構成されている。ダクト８５も上下の端部が同方向へ水平に曲げられた形状であり、下側水平部８５ａ、垂直部８５ｂ及び上側水平部８５ｃによって構成されている。ダクト８３の垂直部８３ｂは長寸法に、またダクト８５の垂直部８５ｂは短寸法に形成されている。
ダクト８３の下側水平部８３ａには下側開口８９が、上側水平部８３ｃには上側開口９１が形成されている。また、ダクト８５の下側水平部８５ａには下側開口９３が、上側水平部８５ｃには上側開口９５が形成されている。
【００２６】
ダクト８３の下側開口８９は下側水平空間４ａに連通し、上側開口９１は上側水平空間４ｃに連通している。また、ダクト８５の下側開口９３は中間水平空間７７に連通し、上側開口９５は上側水平空間４ｃに連通している。
ダクト８３の下側水平部８３ａには吸引ファン９９が備えられ、上側水平部８３ｃには送出ファン９７が備えられている。またダクト８５の下側水平部８５ａには吸引ファン９９が備えられ、上側水平部８５ｃには送出ファン１０１が備えられている。吸引ファン９９によって空気取り込み手段が構成されている。
【００２７】
次に、この空気清浄機７１の動作について説明する。
図示しないスイッチを入れ、吸引ファン９９、送出ファン９７、１０１及び空気送出手段としての送風装置２１のファン２３を作動させる。
吸引ファン９９によって室内の空気が矢印で示すように吸引され、空気取り込み口５から下側水平空間４ａへ導入される。空気取り込み口５から導入された空気は除塵フィルター１３を通過し、この除塵フィルター１３によって空気中の埃等が捕捉される。さらに空気は脱臭フィルター１５を通過して脱臭される。次いで、空気はダクト８３の下側開口８９から下側水平部８３ａに流入し、さらに垂直部８３ｂを通り、上側水平部８３ｃに到達して、送出ファン９７によって上側水平空間４ａに送られて、電子フィルター６５によって除塵される。
【００２８】
また、吸引ファン９９によって室内の空気が矢印で示すように吸引され、空気取り込み口７８から中間水平空間７７へ導入される。さらに空気はダクト８５の下側開口９３から下側水平部８５ａに流入し、さらに垂直部８５ｂを通り、上側水平部８５ｃに到達して、送出ファン１０１によって上側水平空間４ｃに送られる。
上側水平部８５ｃに到達した空気は上側水平空間４ｃへ出て、電子フィルター６５によって除塵される。そして、前記したダクト８３を通り、上側水平空間４ｃへ流入した空気と合流する。この合流した空気は、送風装置２１によって空気排出口７から吸引した空気と共に、空気排出口７から放出される。この送風装置２１により空気を送出する際の作用は、第１の実施の形態において説明した作用と同様である。
【００２９】
この空気清浄機７１では、筐体３の下部に設けられた空気取り込み口５の他に、筐体３の中間部に空気取り込み口７８が設けられているので、室内の下層のみならず中層の空気もより確実に、しかも短時間で清浄にでき、しかもサーキュレーターとしての機能もより高いものとなる。
また、ダクト８３、８５を設けたので、第２の実施の形態と同様に騒音の発生が防止される。
【００３０】
以上、本発明の実施の形態について詳述してきたが、具体的構成は、この実施の形態に限られるものではなく、本発明の要旨を逸脱しない範囲における設計の変更などがあっても発明に含まれる。
例えば、上記実施の形態に係る空気清浄機の筐体内にオゾン発生装置を備えて、このオゾン発生装置から発生するオゾンによって、空気を殺菌する構成としてもよい。この場合にはオゾンが機外に出るのを防止するための装置を備える。
また、空気清浄機の除塵フィルター、脱臭フィルターの構成や数は、上記実施の形態に示すものに限定されず、他の種類のフィルターを用いたり、フィルターの数も必要に応じて変更したりしても本発明に含まれることは勿論である。
【００３１】
さらに、空気取り込み口は筐体の中間部のみに設けてもよく、高さ方向の位置は自由に変更してもよい。また筐体の前面だけでなく、筐体の側面、背面、上面に設けることも可能である。
また、空気排出口も筐体の上部だけでなく、中間部に設けてもよく、高さ方向の位置は自由に変更してもよい。筐体の側面、背面、上面に設けることも可能である。
【００３２】
【発明の効果】
以上のように、本発明の空気清浄機によれば、空気排出口から大容量の空気がかなり大きな風力をもって送出されることになる。従って、空気排出口から送出される空気も遠方まで到達することになるので、室内の空気を満遍なく清浄化できるようになる。
また、空気取り込み口は筐体の下部に備えられ、空気排出口は筐体の上部に位置しているので、室内に空気の対流が発生することになり、サーキュレーターとしての機能も十分に発揮することになる。
さらに、ダクトを設けることで、空気清浄化手段によって清浄化される空気量を絞り込み、吸引手段の能力を極端に大きくすることなく、空気の清浄化を可能としている。従って、騒音の発生を防止することができる。
【図面の簡単な説明】
【図１】本発明の第１実施の形態に係る空気清浄機の斜視図である。
【図２】本発明の第１実施の形態に係る空気清浄機の筐体内に収容される構成部材の斜視図である。
【図３】本発明の第１実施の形態に係る空気清浄機の縦断面図である。
【図４】本発明の第１実施の形態に係る空気清浄機の送風装置の作用を説明するための斜視図である。
【図５】本発明の第２実施の形態に係る空気清浄機の正面図である。
【図６】本発明の第２実施の形態に係る空気清浄機の筐体内に収容される構成部材の斜視図である。
【図７】本発明の第２実施の形態に係る空気清浄機の縦断面図である。
【図８】本発明の第３実施の形態に係る空気清浄機の正面図である。
【図９】本発明の第３実施の形態に係る空気清浄機の筐体内に収容される構成部材の斜視図である。
【図１０】本発明の第３実施の形態に係る空気清浄機の縦断面図である。
【符号の説明】
１    空気清浄機                    ３    筐体
４    空間                          ４ａ  下側水平空間
４ｂ  垂直空間                      ４ｃ  上側水平空間
５    空気取り込み口                ７    空気排出口
９    収納部                      １０    収納部
１１    枠体                        １３    除塵フィルター
１５    脱臭フィルター              １７    吸引ファン
１９    枠体                        ２１    送風装置
２３    ファン                      ２５    モーター
２６    マイナスイオン発生器        ２７    カバー
２８    開口                        ２９    棚板
３１    開閉扉                      ３３    取っ手
４１    空気清浄機                  ４３    ダクト
４３ａ  下側水平部                  ４３ｂ  垂直部
４３ｃ  上側水平部                  ４５    下側開口
４７    上側開口                    ４９    吸引ファン
５０    吸引ファン                  ５１    マイナス電極
５３    除塵フィルター              ５５    除塵フィルター
５７    吸引ファン                  ６３    送出ファン
６５    電子フィルター              ６５ａ  高圧電線
６５ｂ  メッシュフィルター          ７１    空気清浄機
７３    収納部                      ７５    収納部
７７    中間水平空間                ７８    空気取り込み口
８３    ダクト                      ８３ａ  下側水平部
８３ｂ  垂直部                      ８３ｃ  上側水平部
８５    ダクト                      ８５ａ  下側水平部
８５ｂ  垂直部                      ８５ｃ  上側水平部
８９    下側開口                    ９１    上側開口
９３    下側開口                    ９５    上側開口
９７    送出ファン                  ９９    吸引ファン
１０１  送出ファン
【図１】
2004257664.tif 000003
【図２】
2004257664.tif 000004
【図３】
2004257664.tif 000005
【図４】
2004257664.tif 000006
【図５】
2004257664.tif 000007
【図６】
2004257664.tif 000008
【図７】
2004257664.tif 000009
【図８】
2004257664.tif 000010
【図９】
2004257664.tif 000011
【図１０】
2004257664.tif 000012